(57)【要約】【課題】デリバリファンの風速分布を正確かつ迅速に把握することを可能にし、作業者によるデリバリファンの風速調整の作業時間を短縮することができる風速測定装置を提供するものである。【解決手段】枚葉印刷機１０の排紙部４０に設けたデリバリファン４９の風速測定装置６０であって、少なくともデリバリファン４９の設置数に対応する風速測定部９０と、風速測定部９０で測定する風速を表示する表示部１００と、風速測定部９０を支持する支持体７０と、支持体７０を支持する脚部８０とを備える。【選択図】図４
2014162612.tif 000002
【特許請求の範囲】
【請求項１】
枚葉印刷機の排紙部に設けたデリバリファンの風速測定装置であって、
少なくとも前記デリバリファンの設置数に対応する風速測定部と、
前記風速測定部で測定する風速を表示する表示部と、
前記風速測定部を支持する支持体と、
前記支持体を支持する脚部とを備えることを特徴とする、風速測定装置。
【請求項２】
前記表示部は、前記支持体に着脱可能に設けられることを特徴とする、請求項１に記載の風速測定装置。
【請求項３】
前記脚部が伸縮自在であることを特徴とする、請求項１または２に記載の風速測定装置。
【請求項４】
前記風速測定装置は、該風速測定装置を所定位置に設置する位置決めに用いる基準手段を有することを特徴とする、請求項１〜３のいずれかに記載の風速測定装置。
【発明の詳細な説明】
【技術分野】
【０００１】
本発明は、枚葉印刷機の排紙部に設けたデリバリファンの風速測定装置に関する。
【背景技術】
【０００２】
一般に、枚葉印刷機において、印刷されたシートを積層状態で集積して機外へ排出する排紙部は、排紙胴、デリバリチェーン、デリバリチェーン爪、吸引ブレーキ車、デリバリ放しカム、デリバリファン、デリバリパイルボード等が設けられている。
【０００３】
近年、印刷速度の向上とともに、印刷されたシートを正確かつ迅速にデリバリパイルボード上に集積する能力が求められている。デリバリチェーン爪から離れたシートがデリバリパイルボード上で空中に滞留している間に次に搬送されれてきたシートと接触してしまうことがあり、シートの暴れや集積時のシートの不揃いなどの不具合を発生しまう。また、それらを回避するためには、印刷速度を遅くしてシートをデリバリパイルボード上に集積する時間を確保しなければならず、印刷効率が悪くなってしまう。そこで、デリバリチェーン爪から離れたシートに上方から風を吹き付けることでシートを強制的に落下させるデリバリファンを設け、デリバリパイルボード上に集積する時間を短縮させることが行われている。なお、シートが落下する際の挙動は、デリバリファンの風速だけではなく、吸引ブレーキ車の回転速度、デリバリ放しカムの位置等にも影響をうけるため、これらの要素（排紙条件）を調整することにより、シートの落下挙動を最適なものとしている。
【０００４】
しかしながら、シートの落下挙動は、シートの種類、シートのサイズ、シートの斤量、シートに印刷される絵柄等（印刷条件）によって変化するため、印刷条件が変わる度に排紙条件を変更する必要があるとともに、その最適な排紙条件を見出すのに時間がかかるという問題がある。
【０００５】
そこで、特許文献１に示すように、印刷装置から排出されるシート印刷物の挙動制御にかかわるデリバリファン、吸引ブレーキ車、デリバリ放しカムなどの複数のアクチュエータについて、各アクチュエータの作動最適値とシートの落下挙動の要因となる複数の印刷条件との関係を記憶手段に記憶するとともに、入力手段に上記各条件の値が入力されると、演算手段によって、記憶手段に記憶された関係に基づき、入力値に応じた各アクチュエータの作動最適値を目標値として算出し、その演算結果を表示手段に表示する枚葉印刷機の排紙装置がある。これによれば、作業者はシートの落下挙動の要因となる条件を入力するだけでよく、経験や勘に頼ることなく、各アクチュエータを適正な作動値に正確、且つ、速やかに調整することができ、印刷の準備時間を短縮し、損紙を低減することができる。
【０００６】
また、特許文献１の枚葉印刷機の排紙装置は、シミュレート手段によって、演算手段により算出された作動目標値で各アクチュエータを作動させたときのシートの落下挙動をシミュレートし、そのシミュレート結果を表示手段に表示する。これによれば、作業者は事前にシートの落下挙動を予測することができ、自ら各アクチュエータの目標値を設定する場合の目標値設定のヒントを得ることができる。
【先行技術文献】
【特許文献】
【０００７】
【特許文献１】特開２００５−１２６２１０号公報
【発明の概要】
【発明が解決しようとする課題】
【０００８】
しかしながら、シートの落下挙動のシミュレート結果において、デリバリファンの風速は演算手段によって算出された作動目標値によるものであり、シートの搬送軌道上の実際の風速分布は考慮されていない。従って、このシミュレート結果に基いて更に作業者が適正な風速に調整するには精度が悪いとともに、適正な風速に調整するのに時間がかかるため、風速調整作業は作業者による負担が大きいという問題がある。そこで、本発明では、デリバリファンの風速分布を正確かつ迅速に把握することを可能にし、作業者によるデリバリファンの風速調整の作業時間を短縮することができる風速測定装置を提供するものである。
【課題を解決するための手段】
【０００９】
このため、請求項１に記載の発明は、枚葉印刷機の排紙部に設けたデリバリファンの風速測定装置であって、少なくとも前記デリバリファンの設置数に対応する風速測定部と、前記風速測定部で測定する風速を表示する表示部と、前記風速測定部を支持する支持体と、前記支持体を支持する脚部とを備えることを特徴とする。
【００１０】
請求項２に記載の発明は、請求項１に記載の風速測定装置において、前記表示部は、前記支持体に着脱可能に設けられることを特徴とする。
【００１１】
請求項３に記載の発明は、請求項１または２に記載の風速測定装置において、前記脚部が伸縮自在であることを特徴とする。
【００１２】
請求項４に記載の発明は、請求項１〜３のいずれか１項に記載の風速測定装置において、前記風速測定装置は、該風速測定装置を所定位置に設置する位置決めに用いる基準手段を有することを特徴とする。
【発明の効果】
【００１３】
請求項１に記載の発明によれば、枚葉印刷機の排紙部に設けたデリバリファンの風速測定装置であって、少なくとも前記デリバリファンの設置数に対応する風速測定部と、前記風速測定部で測定する風速を表示する表示部と、前記風速測定部を支持する支持体と、前記支持体を支持する脚部とを備えるので、デリバリファンの風速分布を正確かつ迅速に把握することを可能にし、作業者によるデリバリファンの風速調整の作業時間を短縮することができる風速測定装置を提供することができる。
【００１４】
請求項２に記載の発明によれば、前記表示部は、前記支持体に着脱可能に設けられるので、表示部に表示された風速を任意の位置で見れるので、風速を見ながらデリバリファンの風速調整をすることが容易となり、デリバリファンの風速調整の作業時間を短縮することができる。
【００１５】
請求項３に記載の発明によれば、前記脚部が伸縮自在であるので、デリバリファンの風速測定位置を上下方向に変更することが可能となるため、特定の枚葉印刷機に限定されずにデリバリファンの風速測定に用いることができ、経済性が向上する。
【００１６】
請求項４に記載の発明によれば、前記風速測定装置は、該風速測定装置を所定位置に設置する位置決めに用いる基準手段を有するので、デリバリファンの風速測定位置を測定毎に変化することなく一定に保つことが容易となるため、同一条件下での測定の再現が容易に行える。
【図面の簡単な説明】
【００１７】
【図１】枚葉印刷機の一例の概要構成を示す側面図である。
【図２】排紙部の構成を示す側面図である。
【図３】排紙部の作用動作を説明するための図である。
【図４】この発明の風速測定装置の一例を示す斜視図である。
【図５】図４における風速測定装置の平面図である。
【図６】風速測定部の主要部断面図である。
【図７】この発明の風速測定装置の別の一例の構成を説明する図である。
【図８】デリバリファンの風速測定方法を説明する図である。
【発明を実施するための形態】
【００１８】
以下、図面を参照しつつ、本発明を実施するための最良の形態について詳述する。図１は枚葉印刷機の一例の概要構成を示す側面図である。枚葉印刷機１０は、給紙部２０と、印刷部３０と、排紙部４０などから構成される。
【００１９】
給紙部２０は、被印刷物であるシート１１を供給するものである。給紙部２０は、フィーダーパイルボード２１の上に積層されたシート１１を不図示の給紙機構によって上方から順番に１枚ずつ取り上げ、コンベア２２等を介して印刷部３０に供給する。フィーダーパイルボード２１は、積層されたシート１１の上面が常に一定の位置となるように上昇する不図示のパイルボード昇降装置を備え、給紙機構と積層されたシート１１の上面との位置関係が一定に保たれている。
【００２０】
印刷部３０は、複数の印刷ユニット３１を備え、各印刷ユニット３１は、インキを供給するインキ供給装置３２と、湿し水を供給する給水装置３３と、インキ供給装置３２および給水装置３３に対向する版胴３４と、この版胴３４に対向するブランケット胴３５と、このブランケット胴３５に対向する圧胴３６と、各印刷ユニット３１間に設けられた渡し胴３７などを備える。
【００２１】
版胴３４は、印刷版が外周に巻きつけられた胴である。ブランケット胴３５は、弾性体（例えばゴム）を外周に巻いた中間胴である。版胴３４の外周に巻きつけられた印刷版上のインキは、一度このブランケット胴３５に転移され、さらにシート１１に再転移される。圧胴３６は、版胴３４の外周に巻きつけられた印刷版上のインキが転移されたブランケット胴３５にシート１１を押し付けてシート１１にインキを再転移させるためのもである。渡し胴３７は、前の印刷ユニット３１の圧胴３６からシート１１を受け取って次の印刷ユニット３１の圧胴３６に渡すためのものである。印刷部３０に供給されたシート１１は、複数の印刷ユニット３１を通って印刷されてシート印刷物１２となり、排紙部４０の排紙胴４１へと送られる。
【００２２】
次に、排紙部４０について詳述する。図２は、排紙部４０の構成を示す側面図であり、図３は、排紙部４０の作用動作を説明するための図である。図２に示すように、排紙部４０は、印刷部３０からシート印刷物１２を受け取る排紙胴４１と、シート印刷物１２の先端を爪で把持して搬送するデリバリチェーン爪４２と、デリバリチェーン爪４２を連結したデリバリチェーン４３と、デリバリチェーン爪４２を解放するシート放しカム４４と、デリバリチェーン４３により搬送されたシート印刷物１２が積層状態で集積されるデリバリパイルボード４５と、裏移りやブロッキングを防止するためのスプレーパウダを散布するパウダスプレー装置４６などを備える。なお、図２および図３中の矢印はデリバリチェーン４３の駆動方向を示す。
【００２３】
デリバリパイルボード４５は、積層されたシート印刷物１２の上面が常に一定の位置となるように下降するパイルボード昇降装置４７を備え、デリバリチェーン爪４２からシート印刷物１２が放される位置と積層されたシート印刷物１２の上面との位置関係が一定に保たれている。また、デリバリパイルボード４５の周囲には、デリバリチェーン爪４２によって高速で搬送されてきたシート印刷物１２を減速する吸引ブレーキ車４８と、デリバリチェーン爪４２によって放されたシート印刷物１２に風を吹き付けて強制的にシート印刷物１２を落下させるデリバリファン４９と、デリバリパイルボード４５上に積層されるシート印刷物１２の水平方向の位置規制をするシート当て５０および不図示のジョガなどが設けられている。
【００２４】
図３に示すように、シート印刷物１２は、デリバリチェーン爪４２によって把持され、デリバリチェーン４３の駆動によって搬送される。デリバリパイルボード４５の上方付近まで搬送されてきたシート印刷物１２は、シート放しカム４４によってデリバリチェーン爪４２から解放され、吸引ブレーキ車４８によって搬送方向への速度が減速される。さらに、デリバリパイルボード４５の上方に設けられたデリバリファン４９によって、シート印刷物１２は、上方から下方に向けて風が吹き付けられ、強制的に下方へ落下させられる。また、シート印刷物１２は、シート当て５０およびジョガによって、水平方向の位置が規制され、デリバリパイルボード４５上に積層状態で集積される。また、排紙部４０の正面５２には、デリバリファン４９の風速、吸引ブレーキ車４８の回転速度や前後の位置、デリバリチェーン爪４２のシート印刷物１２の放し位置などを調整する操作装置５１が設けられており、正面５２は透明なパネルなどで構成され、シート印刷物１２の落下挙動を目視できるようになっている。
【００２５】
次に、本願発明の風速測定装置６０について詳述する。図４は、風速測定装置６０の一例を示す斜視図であり、図５は、図４における風速測定装置６０の平面図であり、図６は、風速測定部の主要部断面図である。風速測定装置６０は、平面視においてい外形が矩形状であり、天面が開放した箱形状である支持体７０と、支持体７０の底部７５の下面側に設けられ、支持体７０を支持する脚部８０と、支持体７０の底部７５の上面側に設けられ、デリバリファン４９による風の風速を測定する風速測定部９０と、支持体７０の前側部７３の外面側に設けられ、風速測定部９０で測定する風速を表示する表示部１００と、支持体７０の天面を覆う支持体カバー１１０とを備える。
【００２６】
脚部８０は、長方形の板体を長辺に平行に折り曲げてＬ字状に形成されたものであり、支持体７０の底面の下面側の４隅に固設されている。脚部８０によって、支持体７０を支持することにより、支持体７０の底面の下方側に空間を形成できる。なお、脚部８０は、支持体７０を支持するとともに、支持体７０の底面の下方側に空間を形成できればよく、上述の形状に限定されるものではない。例えば、円柱形状や角柱形状であってもく、脚部の長さを調節することで支持体７０の上下方向の位置を変更することができる伸縮自在な構成であってもよい。
【００２７】
複数の風速測定部９０は、支持体７０の底部７５の上面側に、略等間隔であり、平面視において横方向に４個、縦方向に４個の格子状に配設されている。なお、風速測定部９０は、少なくともデリバリファン４９の設置数に対応するだけの数があればよい。デリバリファン４９の設置数に対応するだけの数があれば、少なくともそれぞれのデリバリファン４９に対応する風速を測定することができ、デリバリファン４９の設置数の影響を反映した風速分布の測定が可能となるからである。ここで、風速測定部９０がデリバリファン４９の設置数よりも多く設けられている場合には、より詳細な風速分布を測定することができることになる。また、風速測定部９０の配設形態は、シート印刷物１２がデリバリファン４９によって吹き付けられる風速分布を測定できるような位置に配設されていればよく、上述の構成に限定されるものではない。例えば、平面視におてい、風速測定部９０の配列が、複数の円や斜線の形状を構成するような配列であってもよい。
【００２８】
風速測定部９０は、公知の風車型の風速計である。例えば、図６に示すように、風速測定部９０は、羽９１を有する上部体９２と、回転軸９３と、回転軸９３を回動自在に支持する下部体９４と、回転軸９３の一端に設けられた永久磁石９５と、永久磁石９５と対向する位置に設けられた検出コイル９６などを備え、下部体９５の下端に設けられたフランジ部を支持体７０の底部７５にボルトを用いて固定することで取り付けられている。
【００２９】
風速測定部９０は、羽９１を有する上部体９２が回転軸９３の一端にナットと回転軸９３を貫通するシャフトによって固定され、回転軸９３がベアリング９７を介して下部体９４に回動自在に支持されており、ベアリング９７が固定部材９８やＣリング９９によって回転軸９３と下部体９４とに固定され、回転軸９３の他端には永久磁石９５がナットにより固定されている。
【００３０】
風速測定部９０は、羽９１が風を受けることで上部体９２が回転し、その回転に伴って永久磁石９５が回転し、検出コイル９６が永久磁石９５の磁束の変化に感応して、その回転速度に応じた交流起電力を発生し、この交流起電力の値によって回転軸９３の回転速度が計測され、その回転速度によって風速を算出する。
【００３１】
なお、風速測定部９０は、上述の構成に限定されるのものではなく、例えば、磁石９５と検出コイル９６を用いた検出器の代わりに、光を用いた公知の回転検出器を用いることで風速を測定する構成としたものであってもよく、任意に設計することができる。また、風速測定部９０は、上述のように羽９１を用いた風車型の風速計に限定されるものではなく、デリバリファン４９によって吹き付けられる風の風速を測定できるものであればよく、例えば、熱線式風速計、超音波式風速計、ピトー管式風速計、ヴォルテックス式風速計などを用いることができる。
【００３２】
表示部１００は、支持体７０の前側部７３の外面側に設けられており、複数の風速測定部９０が測定した風速を表示する。風速の表示方法は、全ての風速測定部９０の測定した風速を一度にリアルタイムにデジタル表示させる。このような表示方法であれば、所望の風速測定部９０の風速が、特別な操作を必要とせず、瞬時に把握することができる。なお、表示の方法は、上述の方法に限定されるものではなく、例えば、各風速測定部９０の設置位置に対応した位置関係で、表示部１００に測定した風速を表示させる構成でもよい。このような表示方法であれば、デリバリファン４９の風速分布を把握し易くなる。また、デリバリファン４９の風速を調整する際の目標値を入力し、その目標値と測定値との誤差を表示するような構成であってもよい。このような構成であれば、目標値を確認しながら風速の調整をすることがなく、デリバリファン４９の風速調整の作業時間を短縮することができる。また、表示部１００の設置は、上述に限定されるものではなく、風速の表示が見やすいとともに、風速測定の邪魔にならなければよく、例えば、支持体７０に着脱自在に取り付けられる構成であってもよい。このような構成であれば、風速を任意の位置で見れるので、風速を見ながらデリバリファン４９の風速調整をすることが容易となり、デリバリファン４９の風速調整の作業時間を短縮することができる。
【００３３】
支持体カバー１１０は、板体を２段階に折り曲げてコ字状に形成されたものであり、支持体７０の横幅と支持体カバー１１０の左右側部１１１，１１２間の幅が略同一である。支持体カバー１１０の右側部１１１と支持体７０の右側部７１とが接し、支持体カバー１１０の左側部１１２と支持体７０の左側部７２とが接し、支持体カバー１１０の中央部１１３が支持体７０の開放した天面を覆っている。支持体カバー１１０は、左右側部１１１，１１２の両端部で、ボルトによって支持体７０に固定されている。ここで、支持体７０の底部７５および支持体カバー１１０の中央部１１３には複数の開口部Ｈが設けられており、デリバリファン４９による風が上方から下方へと吹き抜けるようになっている。なお、支持体カバー１１０は、支持体７０の内部に設けられている風速測定部９０を保護するとともに、風速測定部９０の羽９１の回転等から作業者を保護し、デリバリファン４９による風が上方から下方へと吹き抜ける構成であればよく、上述の形状に限定されるものではない。例えば、支持体７０の開放した天面を覆う部位に網目状の貫通穴設けた保護部材や針金を網目状に織り込んで形成した保護部材を支持体７０の開放した天面を覆うように取り付けるものであってもよい。ただし、支持体体カバー１１０は、風速を測定するデリバリファン４９による風に影響を与えないよう、可能な限り通風性の良い構成とすることが望ましく、支持体カバー１１０を設けない構成としてもよい。
【００３４】
また、風速測定装置６０の構成は、上述に限定されるものではない。支持体７０の外形は、平面視において円形状や楕円形状であってもよく、任意に設計できる。また、風速測定装置６０は、上述のように、支持体７０と複数の風速測定部９０や脚部８０などが一体となっている構成でなくてもよく、個々に構成された風速測定部９０Ａや別体の脚部８０Ａなどを組み合わせて構成するものであってもよい。
【００３５】
例えば、図７に示すように、風速測定部９０Ａは、平面視においてい外形が矩形状であり、天面が開放した箱形状である枠体１２０の底部１２５の上面側に設けられている。また、枠体１２０の底部１２５には複数の開口部ＨＡが設けられており、デリバリファン４９による風が上方から下方へと吹き抜けるようになっている。枠体１２０の各側部１２１，１２２，１２３，１２４の両端部には貫通穴が形成されている。各枠体１２０は、各側部１２１，１２２，１２３，１２４の貫通穴にボルトとナットなどを用いて互いに固定し、各枠体を組み合わせる。
【００３６】
各枠体１２０を組み合わせた際、風速測定装置６０の外周部を形成することになる枠体の側部（例えば、図７中の側部１２３）に、長方形の板体を長辺に平行に折り曲げてＬ字状に形成された補強部材１２６を取り付けることで、各枠体１２０を互いに強固に組み合わせることができる。なお、補強部材１２６は、上述の構成に限定されず、例えば、板状のものであってもよく、風速測定装置６０の外周部以外の各枠体１２０を連結する部位に設けてもよい。
【００３７】
また、長方形の板体を長辺に平行に折り曲げてＬ字状に形成された脚部８０Ａを、各枠体１２０を組み合わせた際、風速測定装置６０の角部を形成することになる枠体１２０の角部（例えば、図７中の側部１２１，１２３）にボルトなどによって固定する。なお、脚部８０Ａは、上述の構成に限定されず、例えば、板状のものであってもよく、風速測定装置６０の角部以外に設けてもよい。
【００３８】
上述のような構成とすることで、風速測定部９０Ａの数や風速測定装置６０の大きさを容易に変更することができるため、排紙部４０の大きさやデリバリファン４９の数などが異なる枚葉印刷機１０にも適用することができ、汎用性が向上する。また、風速測定装置６０の収納時において、各枠体１２０や脚部８０Ａ、補強部材１２６などを個々に収納することが可能となり、収納スペースを小さくするとともに風速測定装置６０の外形形状に囚われずに収納することができる。
【００３９】
ここで、風速測定装置６０を構成する、支持体７０（枠体１２０）、脚部８０，８０Ａ、風速測定部９０，９０Ａ、支持体カバー１１０などの材質は特に限定されるものではない。例えば、支持体７０（枠体１２０）、脚部８０，８０Ａ、支持体カバー１１０は、ステンレスなどから形成され、風速測定部９０，９０Ａの羽９１、上部体９２、下部体９３は、プラスチックなどから形成されるものであってもよい。
【００４０】
また、図４に示すように、支持体７０および支持体カバー１１０の側部の外面には、風速測定装置６０を測定位置に設置する位置決めに用いるための目印の線１０１が描かれている。目印の線１０１が描かれていることで、風速測定装置６０の測定時の位置決めが容易となり、測定時間を短縮することができる。さらに、デリバリファン４９の風速測定位置が測定毎に変化することなく常に同一に保つことができるため、同一条件での測定の再現が可能となり、測定結果の比較や作業者毎による測定結果のバラつきをなくすことができる。なお、風速測定装置６０の測定時の位置決めができればよいため、上述のような構成に限定されず、例えば、突起を設けて目印としてもよい。また、排紙部４０のいずれかの部位と当接させて位置決めを行うものを取り付ける構成であってもよい。
【００４１】
また、風速測定装置６０のサイズは、幅Ｘが６００〜１０００ｍｍ、奥行きＹが６００〜１０００ｍｍ、高さＺが１５０〜３００ｍｍ程度であるが、特に限定されるものではない。
【００４２】
次に、本願発明の風速測定装置６０を用いたデリバリファン４９の風速の測定方法について詳述する。図８は、デリバリファン４９の風速測定方法を説明する図である。枚葉印刷機１０が停止している状態で、風速測定装置６０をデリバリパイルボード４５上に設置する。この時、表示部１００が正面５２の透明なパネルを通して見える向きで設置する。次に、風速測定装置６０がシート印刷物１２がデリバリチェーン爪４２から放される位置の直下となるようにデリバリパイルボード４５を上昇させ、図８に示す状態とする。なお、脚部９０の長さは、上述の設置位置におけるデリバリパイルボート４５の位置が印刷開始時の位置と同一となるようにすることが望ましい。デリバリパイルボード４５は、徐々に下降することによって積層されたシート印刷物１２の上面が常に一定の位置となるようにしているため、その上面の位置による影響も含めた状態でデリバリファン４９の風速の測定が行えるためである。上述のように風速測定装置６０を設置した状態で、デリバリファン４９を可動させてデリバリファン４９の風速を測定することで、デリバリファン４９の風速分布を把握することができる。また、デリバリファン４９の風速を所望の風速に調整するには、上述の状態において、表示部１００に表示される風速を見ながら操作装置５１を操作する。風速の測定値を確認をしながら風速の調整ができるため、作業者の作業効率が上がるとともに、実測に基く調整ができるため、正確な風速の調整が可能である。
なお、表示部１００が支持体７０に着脱自在に取り付けられる構成であれば、表示部１００を支持体７０から取り外して任意の位置で風速を見れるので、さらに、風速の測定および風速調整が容易となる。
【実施例１】
【００４３】
図４〜６に示す構成の風速測定装置６０であって、支持体７０、脚部８０、支持体カバー１１０は、ステンレスで形成され、風速測定部９０の羽９１、上部体９２、下部体９３は、プラスチックで形成されており、幅Ｘが１０００ｍｍ、奥行きＹが１０００ｍｍ、高さＺが３００ｍｍである風速測定装置６０を用いて、図８に示すように４つのファンから構成されるデリバリファン４９の風速を、上述の測定方法によって測定した。その結果、デリバリファン４９の風速分布を容易に把握することができた。
【００４４】
また、この風速測定装置６０を用いて、シート印刷物１２の落下挙動を最適なものとなるように、４つのデリバリファン４９の風速をそれぞれ調整した。その結果、風速調整の作業時間は、従来の作業時間と比べて１／５程度に短縮することができた。
【符号の説明】
【００４５】
１０  枚葉印刷機
４０  排紙部
４９  デリバリファン
６０  風速測定装置
７０  支持体
８０、８０Ａ  脚部
９０、９０Ａ  風速測定部
１００  表示部
【図１】
2014162612.tif 000003
【図２】
2014162612.tif 000004
【図３】
2014162612.tif 000005
【図４】
2014162612.tif 000006
【図５】
2014162612.tif 000007
【図６】
2014162612.tif 000008
【図７】
2014162612.tif 000009
【図８】
2014162612.tif 000010